(57)【特許請求の範囲】
【請求項１】
外部からの複数のタグに対応し、複合機における複数の機能を示す表示情報を受け付ける受付手段と、
表示手段と、
前記受付手段によって受け付けられた表示情報の構造を解析する解析手段と、
前記解析手段による解析結果に基づいて、前記受付手段によって受け付けられた表示情報を前記表示手段に表示するか否かを判定する判定手段と、
前記判定手段により判定結果に基づいて、前記受付手段によって受け付けられた表示情報の表示を開始するよう、前記表示手段を制御する表示制御手段とを有し、
前記判定手段は、優先的に表示されるように指示された予め定められた属性を含むタグの解析が前記解析手段において完了した場合、他のタグの解析が完了していなくとも、前記受付手段により受け付けられた表示情報のうち、前記予め定められた属性を含むタグに対応する一部の表示情報を前記表示手段に表示すると判定し、
前記表示制御手段は、前記予め定められた属性を含むタグに対応する一部の表示情報が表示されるように前記表示手段を制御する
情報処理装置。
【請求項２】
使用者を認証するための認証情報を外部に送信する送信手段
をさらに有し、
前記受付手段によって受け付けられる表示情報は、前記送信手段によって送信された認証情報に応じた表示情報である
請求項１に記載の情報処理装置。
【請求項３】
表示装置を備える情報処理装置内のコンピュータに、
外部からの複数のタグに対応し、複合機における複数の機能を示す表示情報を受け付ける受付ステップと、
前記受け付けられた表示情報の構造を解析する解析ステップと、
解析結果に基づいて、前記受け付けられた表示情報を前記表示装置に表示するか否かを判定する判定ステップと、
判定結果に基づいて、前記受け付けられた表示情報の表示を開始するよう、前記表示装置を制御する制御ステップとを実行させる際に、
前記判定ステップでは、優先的に表示されるように指示された予め定められた属性を含むタグの解析が前記解析ステップにおいて完了した場合、他のタグの解析が完了していなくとも、前記受付ステップにおいて受け付けられた表示情報のうち、前記予め定められた属性を含むタグに対応する一部の表示情報を前記表示装置に表示すると判定し、
前記制御ステップでは、前記予め定められた属性を含むタグに対応する一部の表示情報が表示されるように前記表示装置を制御する
プログラム。                                                                      
【発明の詳細な説明】
【技術分野】
【０００１】
本発明は、情報処理装置及びプログラムに関する。
【背景技術】
【０００２】
特許文献１には、ユーザのキー入力パターンを検出し、検出されたキー入力パターンに基づいて、Ｗｅｂページの表示範囲を制御する表示制御装置等が開示されている。
【先行技術文献】
【特許文献】
【０００３】
【特許文献１】特開２００８−２６２３７１号公報
【発明の概要】
【発明が解決しようとする課題】
【０００４】
本発明の目的は、操作性を向上させることができる情報処理装置及びプログラムを提供することである。
【課題を解決するための手段】
【０００５】
[情報処理装置]
上記目的を達成するために、本発明に係る情報処理装置は、外部からの情報を受け付ける受付手段と、表示手段と、前記受付手段によって受け付けられた情報の構造を解析する解析手段と、前記解析手段による解析結果に基づいて、前記受付手段によって受け付けられた情報を前記表示手段に表示するか否かを判定する判定手段と、前記判定手段により判定結果に基づいて、前記受付手段によって受け付けられた情報の表示を開始するよう、前記表示手段を制御する表示制御手段とを有する。
【０００６】
好適には、前記判定手段は、前記解析手段が前記受付手段によって受け付けられた情報の構造の解析を完了した場合、前記受付手段によって受け付けられた情報を前記表示手段に表示すると判定する。
【０００７】
好適には、前記表示制御手段は、前記判定手段による判定結果にかかわらず、前記受付手段が外部からの情報を受け付けてから、予め定められた時間を経過した場合には、前記受付手段によって受け付けられた情報の表示を開始するよう、前記表示手段を制御する。
【０００８】
好適には、前記表示制御手段は、前記判定手段による判定結果にかかわらず、前記受付手段によって受け付けられた情報のうち、表示を開始する指示を示す情報に基づいて、前記受付手段によって受け付けられた情報の表示を開始するよう、前記表示手段を制御する。
【０００９】
好適には、使用者を認証するための認証情報を外部に送信する送信手段をさらに有し、前記受付手段によって受け付けられる情報は、前記送信手段によって送信された認証情報に応じた情報である。
【００１０】
[プログラム]
また、本発明に係るプログラムは、表示装置を備える情報処理装置内のコンピュータに、外部からの情報を受け付けるステップと、前記受け付けられた情報の構造を解析するステップと、解析結果に基づいて、前記受け付けられた情報を前記表示装置に表示するか否かを判定するステップと、判定結果に基づいて、前記受け付けられた情報の表示を開始するよう、前記表示装置を制御するステップとを実行させる。
【発明の効果】
【００１１】
請求項１に係る本発明によれば、本構成を有さない場合に比べ、操作性を向上させることができる情報処理装置を提供することができる。
また、請求項１に係る本発明によれば、本構成を有さない場合に比べ、外部側で表示を制御することができる情報処理装置を提供することができる。
【００１５】
請求項２に係る本発明によれば、請求項１に係る本発明による効果に加え、本構成を有さない場合に比べ、使用者に応じて表示を制御することができる情報処理装置を提供することができる。
【００１６】
請求項３に係る本発明によれば、本構成を有さない場合に比べ、操作性を向上させることができるプログラムを提供することができる。
【図面の簡単な説明】
【００１７】
【図１】複合機のタッチパネルに表示される、メニュー画面の一例である。
【図２】複合機のタッチパネルに表示される、コピー画面の一例である。
【図３】情報処理装置を含む情報処理システムを示す図である。
【図４】情報処理装置のハードウエア構成を示す図である。
【図５】情報処理装置で動作するソフトウエアである、情報処理プログラムの構成を示す図である。
【図６】情報処理プログラムの動作フローを示すフローチャートである。
【図７】情報処理装置のＵＩ装置に表示される、メニュー画面の一例である。
【図８】情報処理装置のＵＩ装置に表示される、らくらくコピー画面の一例である。
【図９】情報処理装置のＵＩ装置に表示される、ｅｃｏコピー画面の一例である。
【図１０】情報処理装置のＵＩ装置に表示される、らくらくスキャン画面の一例である。
【図１１】情報処理装置のＵＩ装置に表示される、安心ファクス画面の一例である。
【図１２】情報処理装置のＵＩ装置に表示される、待機画面の一例である。
【図１３】情報処理装置のＵＩ装置に表示される、メニュー画面の一例である。
【図１４】ＨＴＭＬ形式で記述された表示情報の一例である。
【図１５】情報処理装置のＵＩ装置に表示される、メニュー画面の一例である。
【発明を実施するための最良の形態】
【００１８】
[背景]
まず、本発明の理解を助けるために、その背景を説明する。
コピー、ファクシミリ及びスキャナ等の複数の機能を有する複合機では、タッチパネルに、例えば、図１に示すメニュー画面が表示される。図１に示すように、メニュー画面は、画面名を表示する画面名表示部１００と、複合機が備える機能を示すボタンを表示するボタン表示部１０２とから構成される。
ボタン表示部１０２に表示されるボタンが押下されることにより、メニュー画面は、押下されたボタンに対応する機能の設定画面に遷移する。例えば、ボタン表示部１０２に表示されるボタンのうち、コピーボタン１０４が押下された場合には、図２に示すコピー画面が表示される。
【００１９】
図２に示すように、コピー画面は、画面名表示部１００と、コピー機能に関する設定項目を表示する設定項目表示部１０６とから構成される。さらに、設定項目表示部１０６は、コピー倍率を設定する倍率設定部１０８、用紙の種別を設定する用紙設定部１１０及びカラーモードを設定するカラーモード設定部１１２などから構成され、コピー機能を詳細に設定することができる。
なお、図示しないが、コピー画面以外の画面においても、コピー画面と同様、機能を詳細に設定することができる。ここでは、ファクシミリ画面及びスキャナ画面においても、ファクシミリ機能及びスキャナ機能を詳細に設定することができる。
しかしながら、このように機能を詳細に設定することができる画面は、操作に不慣れな使用者にとってはかえって使いづらくなる。また、システム管理者以外の使用者には利用してほしくない機能（通信管理レポートの出力など）や、使用者に設定してほしくない項目（白黒コピーよりもコストが高い、フルカラーコピーなど）が存在することがある。
【００２０】
以下において説明する本発明の実施形態では、複数の機能を有する情報処理装置について説明する。
なお、以下の説明は、本発明を実施するのにあたっての一例に過ぎず、本発明が以下に説明される事項に限定されるわけではなく、必要に応じて適宜変更可能である。例えば、以下の説明は、コピー、ファクシミリ及びスキャナ等の複数の機能を有する複合機に限定されているが、通話、メール及びカメラ等の複数の機能を有する携帯電話端末などにも適用可能である。
【００２１】
[本発明の実施形態]
次に、本発明の実施形態について図面を参照して詳細に説明する。
図３は、本発明の実施形態に係る情報処理装置１０を含む情報処理システム１を示す図である。図３に示すように、情報処理システム１において、情報処理装置１０がネットワーク１２を介してクラウド１４に接続されている。
【００２２】
なお、ｎは１以上の整数であって、ｎが常に同じ数を示すとは限らない。
以下の各図において、実質的に同じ構成部分には、同じ符号が付される。
以下、「情報処理装置１０−１〜１０−ｎ」など、複数存在しうる構成部分のいずれかが、特定されずに示される場合には、単に「情報処理装置１０」などと略記されることがある。
【００２３】
ここでは、情報処理装置１０は、コピー、ファクシミリ及びスキャナ等の複数の機能を有する複合機である。情報処理装置１０は、図４を参照して後述するように、使用者からの操作入力を受け付けるとともに、情報を出力するタッチパネルなどのユーザインターフェース装置や、ネットワーク１２に接続するための通信機器などを備えている。
また、クラウド１４は、サーバ１６などによって実装され、サーバ１６などが連携することにより、各種サービスを提供することができる。クラウド１４は、例えば、認証情報に基づいて認証可否を判定する認証サービスを実行する認証サーバや、認証情報に応じて情報を提供する情報提供サービスを実行する情報提供サーバによって実装される。
このような構成により、情報処理装置１０及びクラウド１４は、ネットワーク１２を介して、互いに情報を送受信することができ、その結果、情報処理装置１０は、クラウド１４から、各種サービスの提供を受けることができる。
なお、情報処理装置１０のユーザインターフェース装置には、クラウド１４が各種サービスを提供していることを使用者に意識させないよう、情報処理装置１０内で同じサービスが実行される場合に表示される画面と同様の操作感を持つ画面が表示される。例えば、情報処理装置１０のユーザインターフェース装置には、情報処理装置１０内で同じサービスが実行される場合に表示される画面と同様の画面構成で表示がなされる。
【００２４】
[情報処理装置のハードウエア構成]
図４は、図３の情報処理装置１０のハードウエア構成を示す図である。
図４に示すように、情報処理装置１０は、プリントユニット１８及びスキャンユニット２０を有し、プリントユニット１８は、例えば３段の記録媒体供給トレイ１８０を有し、これら記録媒体供給トレイ１８０のそれぞれには供給ヘッド１８２が設けられている。記録媒体供給トレイ１８０の一つが選択されると、供給ヘッド１８２が作動して選択された記録媒体供給トレイ１８０から記録媒体供給路１８４を介してプリントエンジン１８６に供給される。
【００２５】
プリントエンジン１８６は、例えば白黒兼用のカラーゼログラフィからなり、イエロー、マゼンダ、シアン及びブラックの各感光体１８８が併設されていると共に、中間転写ベルト１９０が設けられている。各感光体１８８の周囲には、帯電装置、露光装置、現像装置、一次転写装置及びクリーニング装置など（いずれも不図示）が配置され、各感光体１８８に形成されたトナー像が中間転写ベルト１９０に転写される。白黒設定された場合は、ブラックのみが作動可能であるようにされる。中間転写ベルト１９０のトナー像は、二次転写ロール１９２により、送られてきた記録媒体に転写され、定着装置１９４により定着され、このトナー像が定着された記録媒体が記録媒体排出路１９６を通って排出トレイ１９８に排出される。
【００２６】
ただし、両面印刷が設定された場合は、定着装置１９４により表面が定着された記録媒体は、記録媒体排出路１９６から反転装置２００に送られ、反転装置２００で反転された後、記録媒体反転路２０２に送られ、再び記録媒体供給路１８４に戻され、プリントエンジン１８６に送られて裏面の印刷がなされる。
【００２７】
スキャンユニット２０は、両面原稿の読み取りが可能なＤＡＤＦ等の自動原稿送り装置２０４を有し、この自動原稿送り装置２０４により原稿はプラテン２０６に送られ、このプラテン２０６上でＣＣＤ等からなる読取部２０８により原稿の画像が読み取られる。自動原稿送り装置２０４に原稿がセットされたか否かを検出する原稿セット検出器２１０が設けられている。また、自動原稿送り装置２０４はプラテンカバーを兼ねており、このプラテンカバーを開けることにより原稿をプラテン２０６上に置くことができる。このプラテンカバーの開閉は、プラテンカバー開閉検出器２１２により検出できるようになっている。また、図示しないが、この情報処理装置１０には、公衆回線へ接続されたファクシミリ用のモデムなどの通信機器が設けられている。
【００２８】
ユーザインターフェース装置２２（以下、ＵＩ装置２２という。）は、情報処理装置１０と一体に又はネットワークを介して設けられ、使用者からの操作入力を受け付けるとともに、情報を出力する。ＵＩ装置２２は、例えば、タッチパネルである。
【００２９】
[情報処理装置で動作するソフトウエアの構成]
図５は、図３の情報処理装置１０で動作する情報処理プログラム３０の構成を示す図である。
図５に示すように、情報処理プログラム３０は、認証情報受付部３００、認証情報送信部３０２、表示情報受付部３０４、表示情報解析部３０６、表示開始判定部３０８及び表示制御部３１０から構成される。
このような構成により、情報処理プログラム３０は、情報処理装置１０の使用者を認証するための情報（以下「認証情報」）を図３のクラウド１４に送信し、認証情報に応じて図４のＵＩ装置２２に表示されるべき情報（以下「表示情報」）を受信することができる。
認証情報は、例えば、使用者の名前及びパスワードを含む。また、表示情報は、情報処理装置１０が備える機能のうち、認証された使用者が利用可能な機能に関する情報であり、例えば、機能の名前や機能について設定可能な項目がＨＴＭＬ（Ｈｙｐｅｒ  Ｔｅｘｔ  Ｍａｒｋｕｐ  Ｌａｎｇｕａｇｅ）で記述されたものである。
【００３０】
認証情報受付部３００は、ＵＩ装置２２を介して使用者によって入力された認証情報を受け付ける。
認証情報送信部３０２は、認証情報受付部３００によって受け付けられた認証情報を、ネットワーク１２を介して、クラウド１４に送信する。クラウド１４に送信された認証情報は、認証サーバにおける認証可否の判定に用いられる。
認証サーバによって認証が許可された場合には、認証情報は、さらに、情報提供サーバに送信され、情報提供サーバがどのような情報を提供するかの決定に用いられる。情報提供サーバによって提供されることが決定された情報は、ネットワーク１２を介して、認証情報の送信元である情報処理装置１０に送信される。ここでは、認証情報に応じてＵＩ装置２２に表示されるべき表示情報が送信されるものとする。
例えば、使用者が操作に不慣れな者のグループに属する場合には、最小限の設定項目が記述されたＨＴＭＬ文書が送信される。また、使用者がシステム管理者のグループに属する場合には、詳細な設定項目が記述されたＨＴＭＬ文書が送信される。
【００３１】
表示情報受付部３０４は、ネットワーク１２を介して、クラウド１４から送信される表示情報を受け付ける。
表示情報解析部３０６は、表示情報受付部３０４によって受け付けられた表示情報の構造を解析する。表示情報解析部３０４は、例えば、ＨＴＭＬパーサである。
なお、クラウド１４から送信されるすべての表示情報を受け付けた後、一括して構造解析するのではなく、クラウド１４から送信される表示情報のうち、一部を受け付けて構造解析するとともに、該一部とは異なる一部を受け付けてもかまわない。つまり、表示情報を受け付ける処理と表示情報の構造を解析する処理とが、同時に実行されてもかまわない。
【００３２】
表示開始判定部３０８は、ＵＩ装置２２に、クラウド１４から送信される表示情報の表示を開始するか否かを判定する。
具体的には、表示開始判定部３０８は、クラウド１４から送信される表示情報の構造解析が完了したか否かを判定することにより、表示情報の表示を開始するか否かを判定する。例えば、表示情報解析部３０６が表示情報の構造解析を完了した場合に動作するトリガを予め設定しておき、このトリガが動作した場合には、表示開始判定部３０８は、表示情報の構造解析が完了したと判定する。
表示制御部３１０は、表示開始判定部３０８によって表示情報の表示を開始することが判定された場合、表示情報解析部３０６によって構造が解析された表示情報を表示するよう、ＵＩ装置２２を制御する。そうでない場合には、表示制御部３１０は、表示情報の表示が開始されていないことを使用者に知らせる待機画面を表示するよう、ＵＩ装置２２を制御する。
【００３３】
また、表示開始判定部３０８は、表示情報受付部３０４によって表示情報が受け付けられてから、予め定められた時間を経過したか否かを判定することにより、表示情報の表示を開始するか否かを判定してもかまわない。
この場合、表示開始判定部３０８によって表示情報の表示を開始することが判定されたとき、表示情報の構造解析が完了していなくとも、表示制御部３１０は、受付部３０４によって受け付けられた表示情報を表示するよう、ＵＩ装置２２を制御する。そうでないときには、表示制御部３１０は、表示情報の表示が開始されていない旨を使用者に知らせる待機画面を表示するよう、ＵＩ装置２２を制御する。
【００３４】
図６は、図５の情報処理プログラム３０の動作フロー（Ｓ４０）を示すフローチャートである。なお、すでに、図５の認証情報送信部３０２から送信された認証情報に基づいて、認証が許可され、認証情報に応じた表示情報が図３のクラウド１４から送信されているものとする。
図６に示すように、ステップ４００（Ｓ４００）において、図５の表示情報受付部３０４は、クラウド１４から送信される表示情報を受け付ける。
ステップ４０２（Ｓ４０２）において、図５の表示情報解析部３０６は、ステップ４００において受け付けた表示情報の構造を解析する。なお、上述したように、表示情報受付部３０４による受付処理と、表示情報解析部３０６による構造解析処理とが、同時に実行されてもかまわない。
【００３５】
ステップ４０４（Ｓ４０４）において、図５の表示開始判定部３０８は、図４のＵＩ装置２２に、クラウド１４から送信される表示情報の表示を開始するか否かを判定する。
具体的には、表示開始判定部３０８は、ステップ４０２において、クラウド１４から送信される表示情報の構造解析が完了したか否かを判定する。表示情報の構造解析が完了したと判定された場合には、ステップ４０６の処理に進み、そうでない場合には、ステップ４００又はステップ４０２の処理に戻るとともに、図５の表示制御部３１０によって、待機画面がＵＩ装置２２に表示されるようにする。
なお、上述したように、ステップ４００において、表示情報が受け付けられてから予め定められた時間を経過したか否かを判定してもよく、予め定められた時間を経過した場合には、ステップ４０６の処理に進む。そうでない場合には、ステップ４００又はステップ４０２の処理に戻るとともに、表示制御部３１０は、待機画面を表示するよう、ＵＩ装置２２を制御する。
【００３６】
ステップ４０６（Ｓ４０６）において、表示制御部３１０は、ステップ４０２において構造が解析された表示情報を表示するよう、ＵＩ装置２２を制御する。
【００３７】
図７は、図５の表示開始判定部３０８が表示情報の表示を開始すると判定した場合に、図４のＵＩ装置２２に表示されるメニュー画面の例である。
図７に示すように、メニュー画面は、画面名を表示する画面名表示部１００と、図３の情報処理装置１０が備える機能のうち、認証された使用者が利用可能な機能を示すボタンを表示するボタン表示部１０２とから構成される。ここでは、ボタン表示部１０２には、らくらくコピーボタン１１４、ｅｃｏコピーボタン１１６、らくらくスキャンボタン１１８及び安心ファクスボタン１２０が表示されている。
【００３８】
らくらくコピーボタン１１４が押下された場合には、図５の表示制御部３１０は、例えば図８に示すらくらくコピー画面を表示するよう、図４のＵＩ装置２２を制御する。
図８に示すように、らくらくコピー画面は、画面名表示部１００と、らくらくコピー機能に関する設定項目を表示する設定項目表示部１２２とから構成される。らくらくコピー画面では、頻繁に設定される項目のみを表示することにより、シンプルで見やすい操作画面を実現している。
【００３９】
ｅｃｏコピーボタン１１６が押下された場合には、表示制御部３１０は、例えば図９に示すｅｃｏコピー画面を表示するよう、ＵＩ装置２２を制御する。
図９に示すように、ｅｃｏコピー画面は、画面名表示部１００と、ｅｃｏコピー機能に関する設定項目を表示する設定項目表示部１２４とから構成される。ｅｃｏコピー画面は、対話形式の分かりやすい操作画面によって、用紙の節約に対する使用者の意識向上を促進する。
【００４０】
らくらくスキャンボタン１１８が押下された場合には、表示制御部２１０は、例えば図１０に示すらくらくスキャン画面を表示するよう、ＵＩ装置２２を制御する。
図１０に示すように、らくらくスキャン画面は、画面名表示部１００と、らくらくスキャン機能に関する設定項目を表示する設定項目表示部１２６とから構成される。らくらくスキャン画面は、視覚的に簡略化された操作画面によって、スキャンの操作性を向上させる。
【００４１】
安心ファクスボタン１２０が押下された場合には、表示制御部２１０は、例えば図１１に示す安心ファクス画面を表示するよう、ＵＩ装置２２を制御する。
図１１に示すように、安心ファクス画面は、画面名表示部１００と、安心ファクス機能に関する設定項目を表示する設定項目表示部１２８とから構成される。安心ファクス画面は、予め登録された宛先にファクシミリ送信する仕組みにより、宛先の入力ミスによる誤送信を防止する。
【００４２】
図１２は、図５の表示開始判定部３０８が表示情報の表示を開始しないと判定した場合に、図４のＵＩ装置２２に表示される待機画面の例である。
このように、表示情報の表示を開始するか否かを判定し、判定結果に応じて、表示情報又は表示情報の表示が開始されていない旨を表示することにより、表示情報が送信されるとともに表示を開始する場合に比べ、ＵＩ装置２２の操作性を向上させることができる。
表示情報が送信されるとともに表示を開始する場合、ネットワーク１２の通信状況によっては、図７に示したメニュー画面が表示されないことがある。例えば、ネットワークの通信状況が悪いときには、図１３に示すメニュー画面のように、メニュー画面の一部（ここではボタン表示部１０２）が表示されなかったり、メニュー画面のレイアウトが崩れて表示されたりすることがある。このような場合には、使用者が、情報処理装置１０の故障による不具合であると勘違いしてしまうおそれがある。これに対し、表示情報の表示を開始するか否かを判定し、判定結果に応じて、表示情報又は表示情報の表示が開始されていない旨を表示する場合には、このように使用者が勘違いしてしまうおそれは少なくなる。
【００４３】
また、図３のクラウド１４から取得した表示情報を表示するのではなく、情報処理装置１０内に記憶された表示情報を表示する場合には、ネットワーク通信は行われないので、画面の一部が表示されなかったり、画面のレイアウトが崩れて表示されたりするという不具合は起こりにくい。
つまり、情報処理装置１０ではなく、クラウド１４が各種サービスを提供していることを使用者に意識させないようにするという観点からも、表示情報の表示を開始するか否かを判定し、判定結果に応じて、表示情報又は表示情報の表示が開始されていない旨を表示することにより、このような不具合が起こったとしても、不具合を使用者に見せないようにすることが望ましい。
【００４４】
以上、情報処理装置１０内の状況（例えば、表示情報の解析処理が完了したか否かや、クラウド１４から表示情報を取得してからの時間）に基づいて、表示情報の表示を開始するか否かを判定する、つまり、情報処理装置１０側から表示情報の表示を制御するものとして説明したが、サーバ１４側から表示情報の表示を制御してもかまわない。
例えば、サーバ１４において、表示情報を編集し、表示情報の一部を優先的に表示させる指示を記述してもよい。具体的には、サーバ１４において、ＨＴＭＬで記述された表示情報に予め定められた属性を記述し、この属性を含むタグに対応する表示情報が優先的に表示されるようにする。つまり、予め定められた属性を含むタグの解析が完了した場合には、他のタグの解析が完了していなくとも、このタグに対応する表示情報が表示されるようにする。例えば、図１４の（Ａ）に示す属性を記述することにより、図１４の（Ｂ）に示すタグの解析が完了した場合には、このタグに対応する表示情報についてのみ表示が開始される。
図１５は、このようにして表示が開始された、メニュー画面である。図１５に示すように、ボタン表示部１０２には、らくらくコピーボタンのみが表示されている。
【符号の説明】
【００４５】
１      情報処理システム
１０    情報処理装置
１２    ネットワーク
１４    クラウド
１６    サーバ
３０    情報処理プログラム
３００  認証情報受付部
３０２  認証情報送信部
３０４  表示情報受付部
３０６  表示情報解析部
３０８  表示開始判定部
３１０  表示制御部
【図１】
0005831732.tif 000002
【図２】
0005831732.tif 000003
【図３】
0005831732.tif 000004
【図４】
0005831732.tif 000005
【図５】
0005831732.tif 000006
【図６】
0005831732.tif 000007
【図７】
0005831732.tif 000008
【図８】
0005831732.tif 000009
【図９】
0005831732.tif 000010
【図１０】
0005831732.tif 000011
【図１１】
0005831732.tif 000012
【図１２】
0005831732.tif 000013
【図１３】
0005831732.tif 000014
【図１４】
0005831732.tif 000015
【図１５】
0005831732.tif 000016